(57)【要約】【課題】  筐体及び操作部の形状について設計の自由度を向上するとともに、その操作部を容易に組立てることができるスイッチ装置を得ること。【解決手段】  開口部２１を備えた筐体２０と、開口部に設けられた操作部３０と、筐体の内部に設けられるとともに操作部によって操作されるスイッチ素子４０とを備えたスイッチ装置において、当該スイッチ装置は、操作部を回転可能に支持するヒンジ機構３１，５１と、ヒンジ機構を支持する支持体５０と、支持体を筐体の内部に支持する支持手段６０とを備え、操作部には、筐体と当接することによって操作部の回転量を規制する第１当接部３２と、筐体と当接することによって操作部が開口部から外脱するのを防止する第２当接部３３とを設け、操作部は、開口部の外部から装着されるようにした。【選択図】図２
2006234680.tif 000002
【特許請求の範囲】
【請求項１】
開口部を備えた筐体と、前記開口部に設けられた操作部と、前記筐体の内部に設けられるとともに前記操作部によって操作されるスイッチ素子とを備えたスイッチ装置において、
当該スイッチ装置は、前記操作部を回転可能に支持するヒンジ機構と、前記ヒンジ機構を支持する支持体と、前記支持体を前記筐体の内部に支持する支持手段とを備え、
前記操作部には、前記筐体と当接することによって前記操作部の回転量を規制する第１当接部と、前記筐体と当接することによって前記操作部が前記開口部から外脱するのを防止する第２当接部とを設け、
前記操作部は、前記開口部の外部から装着されるようにしたことを特徴とするスイッチ装置。
【請求項２】
前記開口部及び前記操作部の形状が湾曲していることを特徴とする請求項１記載のスイッチ装置。
【請求項３】
請求項１又は２記載のスイッチ装置を備えたことを特徴とする時計。
【発明の詳細な説明】
【技術分野】
【０００１】
本発明は、筐体に設けられるスイッチ装置に関する。
【背景技術】
【０００２】
一般に、筐体に設けられるスイッチ装置は、スイッチ素子を操作する操作部を筐体の要所に設けた開口部から外部に突出させ、操作部を押圧することによって切換える構成となっている。例えば、目覚し時計のスヌーズスイッチである。特許文献１及び２には、この種のスイッチ装置が開示されている。
【特許文献１】実開昭５６−４９０２３号公報
【特許文献２】実開昭５６−１７５７８１号公報
【発明の開示】
【発明が解決しようとする課題】
【０００３】
さて近年、時計のデザインは益々多様化される傾向にあり、筐体及び操作部についても、そのデザイン性や組立て性を向上するべく更なる工夫が必要とされている。例えば、曲面状の筐体の表面に対し、湾曲した形状の開口部及び操作部を設けると、操作部を開口部の内側から筐体外部に向かって挿通することが不可能となる場合がある。これは、曲率の格差等によって操作部の外部側の径が開口部側の径よりも大きくなってしまうためである。斬新な形状の時計を設計するときは、これがデザインの制約を生じる原因となる。本発明は、かかる事情に鑑みてなされたものであり、その目的は、筐体及び操作部の形状について設計の自由度を向上するとともに、その操作部を容易に組立てることができるスイッチ装置を得ることである。
【課題を解決するための手段】
【０００４】
本願第１請求項に記載した発明は、開口部を備えた筐体と、前記開口部に設けられた操作部と、前記筐体の内部に設けられるとともに前記操作部によって操作されるスイッチ素子とを備えたスイッチ装置において、当該スイッチ装置は、前記操作部を回転可能に支持するヒンジ機構と、前記ヒンジ機構を支持する支持体と、前記支持体を前記筐体の内部に支持する支持手段とを備え、前記操作部には、前記筐体と当接することによって前記操作部の回転量を規制する第１当接部と、前記筐体と当接することによって前記操作部が前記開口部から外脱するのを防止する第２当接部とを設け、前記操作部は、前記開口部の外部から装着されるようにした構成のスイッチ装置である。
【０００５】
本願第２請求項に記載した発明は、請求項１において、前記開口部及び前記操作部の形状が湾曲している構成のスイッチ装置である。
【０００６】
本願第３請求項に記載した発明は、請求項１又は２記載のスイッチ装置を備えたことを特徴とする時計である。
【発明の効果】
【０００７】
本発明によれば、筐体及び操作部の形状について設計の自由度を向上するとともに、その操作部を容易に組立てることができるスイッチ装置を得ることができる。
【発明を実施するための最良の形態】
【０００８】
以下に、本発明の実施例を図面に基づいて説明する。本例のスイッチ装置１０は、図１乃至図３に示すように、電波修正式目覚し時計１の正面側に設けられたものである。スイッチとしての機能は、特に限定はしないが、本例では報知音の停止を行うものとなっている。このスイッチ装置１０は、開口部２１を備えた筐体２０と、開口部２１に設けられた操作部３０と、筐体２０の内部に設けられるとともに操作部３０によって操作されるスイッチ素子４０とを備えたものである。スイッチ素子４０としては、可動部４１が一方に付勢されたプッシュ式のものを採用している。筐体２０の表面は曲面状となっており、開口部２１及び操作部３０の形状は、筐体２０のデザインと調和するように湾曲している。
【０００９】
さて、この操作部３０を開口部２１の内側から筐体２０の外部に向かって挿通することは不可能である。本例の構成は、操作部３０を筐体２０の外部から開口部に装着するとき、どのようにしたら合理的であるかを考慮してなるものである。
【００１０】
このスイッチ装置１０は、操作部３０を回転可能に支持するヒンジ機構と、ヒンジ機構を支持する支持体５０と、支持体５０を筐体２０の内部に支持する支持手段６０とを備えている。本例のヒンジ機構は、後述する操作部３０に設けられたボス３１と支持体５０に設けられたボス保持部５１とを凹凸嵌合してなるものである。また、支持手段６０は、筐体２０の内部に固定された支持体５０を中板２２にねじ止めするボルトである。
【００１１】
すなわち、操作部３０を筐体２０の外部から開口部２１に嵌め込み、その後、ボス３１とボス保持部５１とを嵌合してヒンジ機構を形成するとともに、ボス保持部５１が設けられた支持体を筐体２０の内部に支持する構成となっている。操作部３０は、開口部２１から外脱しないように構成する必要があるので、これを筐体２０の外部から嵌め込むと同時にボス３１とボス保持部５１とを嵌合させることは不可能又は困難である。そこで本例では、ヒンジ機構を支持する支持体５０を筐体２０とは別の部材とした。このような構成によると、操作部３０の可動構造の確保と外脱防止とを合理的に達成することができる。
【００１２】
図４乃至図５に示すように、操作部３０は、ヒンジ機構を構成するボス３１と、筐体２０と当接することによって操作部３０の回転量を規制する鍔状の第１当接部３２と、筐体２０と当接することによって操作部３０が開口部２１から外脱するのを防止するリブ状の第２当接部３３とを備えている。ヒンジ機構による操作部３０の回転は、第１当接部３２が開口部２１の縁の一方に当接した状態から他方に当接するまでの範囲となる。また、第２当接部３３は、操作部３０を開口部２１から引き抜こうとする力が加わると、筐体２０の内面に当接する。第２当接部３３の幅は、操作部３０の回転量に応じて設定されており、操作部３０は、どの角度においても第２当接部３３によって抜け止めされる。
【００１３】
また、スイッチ素子４０は、筐体２０の内部の所定の位置に配置されており、その可動部４１が常に操作部３０と当接している。操作部３０は、スイッチ素子４０の可動部４１によって所定の方向に付勢されており、筐体２０の外部から押圧されると筐体２０の内部に向かってある程度落ち込み、押圧力が解除されると可動部４１の付勢力にて元の位置に復帰する。
【００１４】
図６に示すように、本例の支持体５０は、ヒンジ機構を構成するボス保持部５１と、ボルト６０を挿通する通孔５２と、文字盤照明用の発光素子７０を装着する発光素子装着部５３と、目覚し時計１の電池ホルダ８０を装着する電池ホルダ装着部５４とを備えている。尚、中板にはボルト６０を螺合する雌ねじ部が設けられている。支持体５０は、ヒンジ機構を支持する目的の他に、このように多機能的に構成することも可能である。支持体５０の形状は、筐体２０の内部構成に応じて適宜に設定される。
【００１５】
以上のように、本例のスイッチ装置は、筐体の斬新なデザインに対応しつつ、その組立ての容易化を達成するという優れた効果を奏するものである。尚、本例における各部の構成は、特許請求の範囲に記載した技術的範囲において適宜に設計変更が可能であり、図例説明したものに限定されないことは勿論である。また、本例では目覚し時計について説明したが、かかるスイッチ装置の構成は、その他各種の電子器機に応用することも可能である。
【産業上の利用可能性】
【００１６】
本発明のスイッチ装置は、目覚し時計等の電子器機を操作するスイッチとして好適に利用することが可能である。
【図面の簡単な説明】
【００１７】
【図１】本発明の実施例に係り、時計を示す正面図である。
【図２】本発明の実施例に係り、時計を示す縦断面図（図１のＸ−Ｘ断面図）である。
【図３】本発明の実施例に係り、時計を示す横断面図（図１のＹ−Ｙ断面図）である。
【図４】本発明の実施例に係り、操作部を示す説明図であり、（ａ）は正面図、（ｂ）は上面図、（ｃ）は側面図、（ｄ）は下面図である。
【図５】本発明の実施例に係り、操作部を回転させたときに見える形状を示す説明図である。
【図６】本発明の実施例に係り、ヒンジ機構支持体を示す説明図であり、（ａ）は正面図、（ｂ）は上面図、（ｃ）は側面図、（ｄ）は背面図である。
【符号の説明】
【００１８】
１    目覚し時計
１０    スイッチ装置
２０    筐体
２１    開口部
２２    中板
３０    操作部
３１    ボス
３２    第１当接部
３３    第２当接部
４０    スイッチ素子
４１    可動部
５０    支持体
５１    ボス保持部
５２    通孔
５３    発光素子装着部
５４    電池ホルダ装着部
６０    支持手段
７０    発光素子
８０    電池ホルダ
【図１】
2006234680.tif 000003
【図２】
2006234680.tif 000004
【図３】
2006234680.tif 000005
【図４】
2006234680.tif 000006
【図５】
2006234680.tif 000007
【図６】
2006234680.tif 000008